(57)【要約】【課題】プロジェクターの内部の温度上昇により生じる投写位置のずれに応じた位置補正を画像の投写中にリアルタイムで可能とする。【解決手段】プロジェクターＰＪ１からスクリーン上に投写された投写画像の投写位置を補正する投写位置補正装置１００であって、プロジェクターＰＪ１の内部の温度を検出する温度検出部（温度センサー）１１０と、温度検出部１１０によって検出された温度に応じた投写位置補正データを取得可能な投写位置補正テーブル１２０に基づいて投写位置を補正する投写位置補正処理部１３０とを有する。【選択図】図１
2011151640.tif 000002
【特許請求の範囲】
【請求項１】
プロジェクターから投写面上に投写された投写画像の投写位置を補正する投写位置補正
装置であって、
前記プロジェクターの内部の温度を検出する温度検出部と、
前記温度検出部によって検出された温度に応じた投写位置補正データを取得可能な投写
位置補正テーブルに基づいて前記投写位置を補正する投写位置補正処理部と、
を有することを特徴とする投写位置補正装置。
【請求項２】
請求項１に記載の投写位置補正装置において、
前記投写位置補正データは、前記投写画像を理想的投写位置に投写するためのデータで
あって、
前記プロジェクターのコールドスタート時から所定のタイミングごとに温度を検出する
とともに前記投写画像を所定のタイミングごとに撮像し、前記検出された温度と前記撮像
によって得られた撮像画像データとに基づいて温度と投写位置のずれ量との関係を求める
第１工程と、
前記第１工程によって求められた前記温度と投写位置のずれ量との関係に基づいて、前
記理想的投写位置に対するずれ量を表す値を前記投写位置補正データとして算出する第２
工程とを行うことによって生成されることを特徴とする投写位置補正装置。
【請求項３】
請求項１又は２に記載の投写位置補正装置において、
前記理想的投写位置に対するずれ量を表す値は、現時点において検出された温度におけ
る前光変調素子の注目画素の画素位置と、前記理想的投写位置における前記注目画素の画
素位置との差分として表わされることを特徴とする投写位置補正装置。
【請求項４】
光源からの光を画像データに基づいて変調する光変調素子を有する光変調素子ユニット
と、
前記光変調素子ユニットから射出された画像光を投写画像として投写面上に投写する投
写光学系と、
前記プロジェクターの内部の温度を検出する温度検出部と、
前記温度検出部によって検出された温度に応じた投写位置補正データを取得可能な投写
位置補正テーブルに基づいて、前記投写画像の投写位置のずれを補正する投写位置補正処
理部と、
を有することを特徴とするプロジェクター。
【請求項５】
光源からの光を画像データに基づいて変調する光変調素子を有する第１光変調素子ユニ
ットと、
光源からの光を画像データに基づいて変調する光変調素子を有する第２光変調素子ユニ
ットと、
前記第１光変調素子ユニットから射出された第１画像光と前記第２光変調素子ユニット
から射出された第２画像光とを合成する合成光学系と、
前記合成光学系で合成された画像を投写画像として投写面上に投写する投写光学系と、
前記プロジェクターの内部の温度を検出する温度検出部と、
前記温度検出部によって検出された温度に応じた投写位置補正データを取得可能な投写
位置補正テーブルに基づいて、前記投写面上における前記第１画像光による投写画像及び
第２画像光による投写画像の投写位置のずれを補正する投写画像位置補正処理部と、
を有することを特徴とするプロジェクター。
【請求項６】
請求項５に記載のプロジェクターにおいて、
前記投写位置補正テーブルは、
前記第１光変調素子ユニットに対応した投写位置補正データの取得が可能な第１投写位
置補正テーブルと、
前記第２光変調素子ユニットに対応した投写位置補正データの取得が可能な第２投写位
置補正テーブルと、
を有することを特徴とするプロジェクター。
【請求項７】
請求項４〜６のいずれかのプロジェクターにおいて、
前記投写位置補正テーブルは、前記プロジェクターの出荷前に作成されることを特徴と
するプロジェクター
【請求項８】
プロジェクターから投写面上に投写された投写画像を理想的投写位置に投写するための
投写位置補正データを生成する投写位置補正データ生成方法であって、
前記プロジェクターのコールドスタート時から所定のタイミングごとに温度を検出する
とともに前記投写画像を所定のタイミングごとに撮像し、前記検出された温度と前記撮像
によって得られた撮像画像データとに基づいて温度と投写位置のずれ量との関係を求める
第１工程と、
前記第１工程によって求められた前記温度と投写位置のずれ量との関係に基づいて前記
理想的投写位置に対するずれ量を表す値を前記投写位置補正データとして算出する第２工
程と、
を有することを特徴とする投写位置補正データ生成方法。
【発明の詳細な説明】
【技術分野】
【０００１】
本発明は、投写位置補正装置、プロジェクター及び投写位置補正データ生成方法に関す
る。
【背景技術】
【０００２】
複数のプロジェクターから投写される複数の投写画像を投写面上で重ねて表示するスタ
ッキング投写や、複数の投写画像を投写面上で並べて表示するタイリング投写を行うマル
チプロジェクションシステムが知られている。このようなマルチプロジェクションシステ
ムにおいては、マルチプロジェクションシステムを構成する複数のプロジェクターから投
写される複数の投写画像の投写位置を高精度に調整することが極めて重要となる。
【０００３】
また、プロジェクターは光源として発熱量の大きいランプを使用しているため、プロジ
ェクターの内部が高温となり、プロジェクターに搭載されている光学系などの構成要素が
ランプの熱の影響を受けて膨張し、その結果、投写画像の投写位置がずれてしまうことが
ある。このような投写位置のずれは、上記したスタッキング投写やタイリング投写を行う
場合には特に問題となる。
【０００４】
例えば、２台のプロジェクターによってスタッキング投写を行う場合は、各プロジェク
ターから投写される２つの投写画像が適正に位置調整されていないと、スタッキング投写
の効果が得られず、投写画像の品質を劣化させることとなる。特に、投写画像を高解像度
とするために斜め１／２画素ずらしによる投写を行うような場合には、２つの投写画像の
投写位置の調整は重要である。また、タイリング投写を行う場合も、各投写画像が適正に
位置調整されていないと、隣接する投写画像間に不連続な継ぎ目が生じるなど、タイリン
グされた画像の品質を劣化させることとなる。
【０００５】
これに対処するためには、各投写画像の位置調整が必須となるが、この位置調整は、多
くの手間と熟練した調整技術が必要となる。このため、各投写画像の位置調整を自動化す
る技術は従来から種々提案されている（例えば特許文献１参照）。
【０００６】
特許文献１に開示された技術（以下、従来技術という）は、２台のプロジェクターから
投射面上に投写された位置調整用パターンから２つの投写画像の位置ずれ量を検出し、検
出された位置ずれ量に基づいて２つの投写画像の位置ずれを補正するというものである。
【先行技術文献】
【特許文献】
【０００７】
【特許文献１】特開平８−１６８０３９号公報
【発明の概要】
【発明が解決しようとする課題】
【０００８】
上記した従来技術は、位置調整用パターン画像を２台のプロジェクターによって投写面
上に投写し、投写された投写画像をカメラで撮像し、その撮像画像データに基づいて位置
調整を行うというものであるため、位置調整を行うたびに、位置調整用パターン画像を表
示して、それをカメラで撮像するといった操作を行う必要がある。
【０００９】
しかしながら、上記したように、プロジェクターの光源の熱による投写位置のずれを補
正しようとする場合には、プロジェクターのコールドスタート時ではなく、プロジェクタ
ーの内部の温度が上昇して熱平衡した状態となったときに位置調整を行わなければならな
い。これは、プロジェクターのコールドスタート時からプロジェクターの内部の温度が熱
平衡するまでの間に最も投写位置のずれ量が大きくなるためである。なお、プロジェクタ
ーのコールドスタート時というのは、本明細書においては、プロジェクターの内部の温度
が室温とほぼ同等となっている状態で当該プロジェクターの電源を投入した時点を指すも
のとする。
【００１０】
プロジェクターが熱平衡した状態となったときに位置調整を行うには、その都度、プロ
ジェクターが熱平衡するのを待つ必要があるが、従来技術による位置調整方法を適用しよ
うとすると、例えば、マルチプロジェクションシステムを起動した場合には、個々のプロ
ジェクターが熱平衡の状態となるのを待って、位置調整用パターンを表示して位置ずれ量
を検出し、検出した位置ずれ量に基づいて位置調整を行う必要がある。また、画像の投写
中に一端、投写を中断して、再度、投写を開始するような場合にも、プロジェクターが熱
平衡するまで待って、上記したような位置調整を行うことが必要となるため、使い勝手が
悪く、また、このように、その都度、熱平衡するまで待って位置調整を行うというのは非
効率的である。
【００１１】
そこで本発明は、プロジェクターの内部の温度上昇により生じる投写位置のずれに応じ
た位置補正を画像の投写中にリアルタイムで可能とする投写位置補正装置及びプロジェク
ターを提供するとともに、プロジェクターの内部の温度上昇により生じる投写位置のずれ
に応じた投写位置補正データの生成を可能とする投写位置補正データ生成方法を提供する
ことを目的とする。
【課題を解決するための手段】
【００１２】
本発明の投写位置補正装置は、プロジェクターから投写面上に投写された投写画像の投
写位置を補正する投写位置補正装置であって、前記プロジェクターの内部の温度を検出す
る温度検出部と、前記温度検出部によって検出された温度に応じた投写位置補正データを
取得可能な投写位置補正テーブルに基づいて前記投写位置を補正する投写位置補正処理部
とを有することを特徴とする。
【００１３】
このように本発明は、検出された温度に応じた投写位置補正データを投写位置補正テー
ブルから取得して、取得した投写位置補正データに基づいて投写位置のずれを補正するよ
うにしている。このため、位置調整用パターンを投写してそれを撮像し、その撮像データ
に基づいて投写位置の補正を行うといった操作を行う必要がなく、プロジェクター内部の
温度上昇により生じる投写位置のずれに応じた位置調整を画像の投写中にリアルタイムで
行うことができる。
【００１４】
本発明の投写位置補正装置においては、前記投写位置補正データは、前記投写画像を理
想的投写位置に投写するためのデータであって、前記プロジェクターのコールドスタート
時から所定のタイミングごとに温度を検出するとともに前記投写画像を所定のタイミング
ごとに撮像し、前記検出された温度と前記撮像によって得られた撮像画像データとに基づ
いて温度と投写位置のずれ量との関係を求める第１工程と、前記第１工程によって求めら
れた前記温度と投写位置のずれ量との関係に基づいて、前記理想的投写位置に対するずれ
量を表す値を前記投写位置補正データとして算出する第２工程とを行うことによって生成
されることが好ましい。
【００１５】
このようにして算出された投写位置補正データを用いて投写位置の補正を行うことによ
り、当該プロジェクターの投写画像を常に理想的投写位置に投写することができる。
【００１６】
本発明の投写位置補正装置においては、前記理想的投写位置に対するずれ量を表す値は
、現時点において検出された温度における前記光変調素子の注目画素の画素位置と、前記
理想的投写位置における前記注目画素の画素位置との差分として表わされることが好まし
い。
【００１７】
これにより、投写位置の補正を行う際は、現時点において検出された温度における光変
調素子の注目画素の画素位置と、理想的投写位置における注目画素の画素位置との差分だ
けシフトするような処理を行えばよいので、投写位置の補正を適切に行うことができる。
なお、投写位置の補正は画像処理によって行うようにしてもよく、また、光変調素子ユニ
ットを移動させる移動機構を設けて、この移動機構によって行うようにしてもよい。また
、画像処理による補正と移動機構による補正とを組み合わることも可能である。
【００１８】
本発明のプロジェクターは、光源からの光を画像データに基づいて変調する光変調素子
を有する光変調素子ユニットと、前記光変調素子ユニットから射出された画像光を投写画
像として投写面上に投写する投写光学系と、前記プロジェクターの内部の温度を検出する
温度検出部と、前記温度検出部によって検出された温度に応じた投写位置補正データを取
得可能な投写位置補正テーブルに基づいて、前記投写画像の投写位置のずれを補正する投
写位置補正処理部とを有することを特徴とする。
【００１９】
本発明のプロジェクターがこのような投写位置補正処理部を有することにより、前記し
た本発明の投写位置補正装置と同様の効果を有する。これにより、本発明のプロジェクタ
ーを複数台用いてマルチプロジェクションシステムを構成する場合、個々のプロジェクタ
ーの内部の温度に応じた投写位置補正データに基づいて投写画像の投写位置を補正するこ
とができる。例えば、スタッキング投写又はタイリング投写を行う場合、個々のプロジェ
クターからの投写画像を理想的投写位置に投写することができるので、投写画像を高品質
な画像とすることができる。
なお、本発明のプロジェクターにおいても、前記した本発明の投写位置補正装置が有す
る各特徴を有することが好ましい。
【００２０】
本発明のプロジェクター（本発明のプロジェクターの第２態様という）は、光源からの
光を画像データに基づいて変調する光変調素子を有する第１光変調素子ユニットと、光源
からの光を画像データに基づいて変調する光変調素子を有する第２光変調素子ユニットと
、前記第１光変調素子ユニットから射出された第１画像光と前記第２光変調素子ユニット
から射出された第２画像光とを合成する合成光学系と、前記合成光学系で合成された画像
を投写画像として投写面上に投写する投写光学系と、前記プロジェクターの内部の温度を
検出する温度検出部と、前記温度検出部によって検出された温度に応じた投写位置補正デ
ータを取得可能な投写位置補正テーブルに基づいて、前記投写面上における前記第１画像
光による投写画像及び第２画像光による投写画像の投写位置のずれを補正する投写画像位
置補正処理部とを有することを特徴とする。
【００２１】
本発明のプロジェクターの第２態様は、２つの光変調素子ユニット（第１光変調素子ユ
ニット及び第２光変調素子ユニット）が１つのプロジェクターに組み込まれているもので
ある。このようなプロジェクターにおいては、２つの光変調素子ユニットから射出される
第１画像光及び第２画像光は、投写位置を高精度に位置調整する必要があるが、本発明の
プロジェクターの第２態様によれば、第１画像光による投写画像及び第２画像光による投
写画像のそれぞれの投写位置のずれをプロジェクターの内部の温度に応じて適切に補正す
ることができる。このため、例えば、斜め１／２画素ずらしによる投写を行うような場合
であっても、プロジェクターの内部の温度変化に関わらず、斜め１／２画素ずらしの状態
を維持することができる。
なお、本発明のプロジェクターの第２態様においても、前記した本発明の投写位置補正
装置が有する各特徴を有することが好ましい。
【００２２】
本発明のプロジェクターの第２態様においては、前記投写位置補正テーブルは、前記第
１光変調素子ユニットに対応した投写位置補正データの取得が可能な第１投写位置補正テ
ーブルと、前記第２光変調素子ユニットに対応した投写位置補正データの取得が可能な第
２投写位置補正テーブルとを有することが好ましい。
【００２３】
このように、第１光変調素子ユニット及び第２光変調素子ユニットそれぞれに対応した
投写位置補正テーブル（第１投写位置補正テーブル及び第２投写位置補正テーブル）を有
することにより、第１光変調素子ユニット及び第２光変調素子ユニットの位置ずれの仕方
が異なる場合であっても、第１光変調素子ユニット及び第２光変調素子ユニットそれぞれ
に対応した投写位置の補正が可能となる。
【００２４】
本発明のプロジェクターの第２態様においては、前記投写位置補正テーブルは、前記プ
ロジェクターの出荷前に作成されることが好ましい。
【００２５】
このように、投写位置補正テーブルがプロジェクターの出荷前に生成されることにより
、当該プロジェクターの出荷前に投写位置補正テーブルを組み込むことが可能となる。こ
れにより、当該プロジェクターをユーザーが使用する場合、プロジェクターによって画像
を投写している場合であっても、リアルタイムで当該プロジェクターの温度に応じた投写
位置補正データを取得することができ、取得した投写位置補正データによる投写位置の補
正が可能となる。
【００２６】
本発明の投写位置補正データ生成方法は、プロジェクターから投写面上に投写された投
写画像を理想的投写位置に投写するための投写位置補正データを生成する投写位置補正デ
ータ生成方法であって、前記プロジェクターのコールドスタート時から所定のタイミング
ごとに温度を検出するとともに前記投写画像を所定のタイミングごとに撮像し、前記検出
された温度と前記撮像によって得られた撮像画像データとに基づいて温度と投写位置のず
れ量との関係を求める第１工程と、前記第１工程によって求められた前記温度と投写位置
のずれ量との関係に基づいて前記理想的投写位置に対するずれ量を表す値を前記投写位置
補正データとして算出する第２工程とを有することを特徴とする。
【００２７】
このような工程を行うことにより投写位置補正データを生成することができる。これに
よって生成された投写位置補正データを用いて投写位置の補正を行うことにより、プロジ
ェクターの投写画像を常に理想的投写位置に投写することができる。なお、本発明の投写
位置補正データ生成方法においても、前記した本発明の投写位置補正装置が有する各特徴
を有することが好ましい。
【図面の簡単な説明】
【００２８】
【図１】実施形態１に係るプロジェクターＰＪ１の構成を示す図。
【図２】プロジェクターＰＪ１の光学装置２００の構成を示す平面図。
【図３】投写位置補正テーブル１２０を作成するために必要なシステム構成を示す図。
【図４】投写位置補正データの生成手順を概略的に説明するフローチャート。
【図５】プロジェクターＰＪ１のコールドスタート時からの経過時間とプロジェクターの画素ずれ量の関係を示す図。
【図６】基準画素位置に対する画素ずれ量をプロジェクターの内部の温度変化に対応させて示す図。
【図７】ＸＹ座標上における投写画像の位置を説明する図。
【図８】投写位置補正テーブル１２０の一例を示す図。
【図９】実施形態１に係る投写位置補正処理の手順を説明するフローチャート。
【図１０】複数のプロジェクターを用いたマルチプロジェクションシステムの構成を示す図。
【図１１】実施形態２に係るプロジェクターＰＪ３の構成を示す図。
【図１２】実施形態２に係るプロジェクターＰＪ３の光学装置２００の構成を示す平面図。
【発明を実施するための形態】
【００２９】
以下、本発明の実施形態について説明する。
【００３０】
［実施形態１］
図１は、実施形態１に係るプロジェクターＰＪ１の構成を示す図である。実施形態１に
係るプロジェクターＰＪ１は、投写位置補正装置１００と、光学装置２００とを有してい
る。
【００３１】
投写位置補正装置１００は、プロジェクターＰＪ１の内部の温度を検知して、その時点
の温度データ（以下では温度という）を出力する温度検出部としての温度センサー１１０
と、温度センサー１１０によって検出された温度に応じた投写位置補正データを取得可能
な投写位置補正テーブル１２０と、現時点において検出された温度に対応する投写位置補
正データを投写位置補正テーブル１２０から取得し、取得した投写位置補正データに基づ
いて投写位置のずれを補正する投写位置補正処理部１３０とを有している。
【００３２】
図２は、プロジェクターＰＪ１の光学装置２００の構成を示す平面図である。光学装置
２００は、図２に示すように、赤色光（Ｒ）、緑色光（Ｇ）及び青色光（Ｂ）を含む光を
射出する光源３００と、インテグレータ光学系３１０と、光変調素子ユニット４００と、
色分離導光光学系５００と、投写光学系６００とを有する。
【００３３】
光変調素子ユニット４００は、ＲＧＢの各色光に対応した光変調素子４１０Ｒ，４１０
Ｇ，４１０Ｂと、クロスダイクロイックプリズム４２０とを有する。なお、光変調素子４
１０Ｒ，４１０Ｇ，４１０Ｂの入射側には入射側偏光板が設けられており、射出側には射
出側偏光板が設けられているがこれらの符号は省略されている。
【００３４】
光変調素子４１０Ｒ，４１０Ｇ，４１０Ｂ）とクロスダイクロイックプリズム４２０と
は一体化された構造となっている。また、光変調素子４１０Ｒ，４１０Ｇ，４１０Ｂのそ
れぞれ対応する画素の相対的な位置関係及びこれら光変調素子４１０Ｒ，４１０Ｇ，４１
０Ｂとクロスダイクロイックプリズム４２０との相対的な位置関係は、当該光変調素子ユ
ニット４００の製造工程において適正な位置関係となるように高精度に調整されたものと
なっており、その位置関係はプロジェクターＰＪ１に取り付けられたあとも固定的である
とする。
【００３５】
色分離導光光学系５００は、ＲＧＢの各色光のうち、赤色光（Ｒ）を反射させ、緑色光
（Ｇ）及び青色光（Ｂ）を通過させるダイクロイックミラー５１０と、ダイクロイックミ
ラー５１０を通過した緑色光及び青色光のうち、緑色光を反射させ青色光を通過させるダ
イクロイックミラー５２０と、ダイクロイックミラー５２０を通過した青色光を青色用の
光変調素子４１０Ｂに導く２つのリレーレンズ５３０，５４０及び２つの反射ミラー５５
０，５６０と、ダイクロイックミラー５１０で反射された赤色光を赤色用の光変調素子４
１０Ｒに導く反射ミラー５７０とを有している。
【００３６】
このような光学装置２００を有するプロジェクターＰＪ１において、光源３００から射
出された光は、インテグレータ光学系３１０を通過したのち、色分離導光光学系５００に
よってＲＧＢのそれぞれの色光に分離されたのち、それぞれ対応する光変調素子４１０Ｒ
，４１０Ｇ，４１０Ｂに導かれる。そして、光変調素子４１０Ｒ，４１０Ｇ，４１０Ｂは
、投写位置補正処理部１３０（図１参照）から出力される画像データに基づいて各色光を
変調し、ＲＧＢの各画像光を形成する。
【００３７】
そして、光変調素子４１０Ｒ，４１０Ｇ，４１０Ｂで形成されたＲＧＢの各画像光は、
クロスダイクロイックプリズム４２０で合成されたのち、投写光学系６００によってスク
リーンＳＣＲ上にカラー画像として投写される。
【００３８】
ところで、温度センサー１１０は、光変調素子ユニット４００の近傍に設けられること
が好ましい。例えば、図２において、クロスダイクロイックプリズム４２０の上方部付近
などに設けられることが好ましい。プロジェクターの内部では、図２で示す光学装置２０
０の上方に電気回路部品が搭載された回路基板が存在する場合が多いので、当該回路基板
の裏面（光学装置２００に対向する面）で、かつ、クロスダイクロイックプリズム４２０
の上方部付近に温度センサー１１０を取り付けることは可能である。
【００３９】
なお、冷却装置を有しているプロジェクターには冷却装置を制御するための温度センサ
ーが元々設けられている場合が多く、このようなプロジェクターにおいては、その温度セ
ンサーを利用するようにしてもよい。
【００４０】
図３は、投写位置補正テーブル１２０を作成するために必要なシステム構成を示す図で
ある。投写位置補正テーブル１２０は、個々のプロジェクターに対応した固有の投写位置
補正テーブルとして作成されることが好ましい。これは、個々のプロジェクターごとに、
プロジェクターの内部の温度変化の仕方が異なる可能性があり、また、温度変化による光
学系部品などの膨張の仕方なども異なる可能性があるからである。
また、投写位置補正テーブル１２０は、個々のプロジェクターの出荷前に作成されたの
ちに、それぞれのプロジェクターに組み込まれるものである。
【００４１】
投写位置補正テーブル１２０を作成するシステムは、図３に示すように、投写位置補正
テーブル１２０が組み込まれるプロジェクターＰＪ１と、スクリーンＳＣＲ上に投写され
たプロジェクターＰＪ１からの投写画像を撮像する撮像装置１０と、投写位置補正テーブ
ル作成装置２０とを有する。投写位置補正テーブル作成装置２０としては、パーソナルコ
ンピュータを用いることができる。
【００４２】
投写位置補正テーブル作成装置２０は、温度センサー１１０からの温度及び撮像装置１
０からの撮像画像データなどに基づいて、投写画像を理想的投写位置に投写するための投
写位置補正データを生成し、生成した投写位置補正データを用いて投写位置補正テーブル
を作成する。なお、投写位置補正データ及び当該投写位置補正データを用いて作成される
投写位置補正テーブルの内容については後述する。
以下に、投写位置補正テーブルを作成するために必要な投写位置補正データの生成手順
について説明する。
【００４３】
図４は、投写位置補正データの生成手順を概略的に説明するフローチャートである。投
写位置補正データの生成手順は、プロジェクターのコールドスタート時から所定のタイミ
ングごとに温度を検出するとともに、撮像装置１０によって投写画像を所定のタイミング
ごとに撮像し、検出された温度と撮像装置１０からの撮像画像データとに基づいて温度と
投写位置のずれ量との関係を求める第１工程（ステップＳ１）と、第１工程によって求め
られた温度と投写位置のずれ量との関係に基づいて理想的投写位置に対するずれ量を表す
値を投写位置補正データとして算出する第２工程（ステップＳ２）とを順次行う。これら
投写位置補正データを生成するための第１工程及び第２工程について以下に詳細に説明す
る。
【００４４】
投写位置補正データを生成するための第１工程においては、まず、プロジェクターＰＪ
１のコールドスタート時からの経過時間と温度とを記録するとともに、プロジェクターＰ
Ｊ１によってスクリーンＳＣＲ上に投写された投写画像を撮像装置１０によって撮像する
。また、投写位置補正テーブル１２０を作成するためにプロジェクターＰＪ１から投写す
る画像は、位置調整用パターン画像であってもよく、また、一般的な画像であってもよい
。
【００４５】
図５は、プロジェクターＰＪ１のコールドスタート時からの経過時間とプロジェクター
ＰＪ１の画素ずれ量との関係を示す図である。コールドスタート時の時刻をｔ０とし、そ
のときの画素ずれ量ＤをＤ＝０とする。なお、画素ずれ量は、プロジェクターＰＪ１の光
変調素子（例えば、緑色用の光変調素子４１０Ｇ）の注目する１つの画素（注目画素とい
う）の画素ずれ量とする。この注目画素の画素ずれ量は、光変調素子ユニット４００の各
光変調素子全体の画素ずれ量を表すものとなる。
【００４６】
そして、時刻ｔ０からの経過時間をｔ１，ｔ２，ｔ３，・・・として、各経過時間ｔ１
，ｔ２，ｔ３，・・・ごとに注目画素の画素ずれ量Ｄを測定して行く。すると、図５に示
すように、コールドスタート時（時刻ｔ０）の直後からしばらくの間（図５においては、
経過時間ｔ４付近までの間）は、画素が大きくずれて画素ずれ量の変化も大きく、その後
、画素ずれ量の変化は小さくなり、経過時間ｔ９以降には、画素ずれ量の変化は殆どなく
なって安定した状態となる。
【００４７】
図５においては、経過時間に対する画素ずれ量の変化を示したが、温度の変化に対する
画素ずれ量の変化も同様の関係となる。すなわち、コールドスタート時から時間の経過と
ともに温度が上昇すると、しばらくの間は、画素が大きくずれて画素ずれ量の変化も大き
く、その後、画素ずれ量の変化は小さくなり、プロジェクターＰＪ１の内部が熱平衡の状
態となると（経過時間ｔ９付近）、画素ずれ量の変化は殆どなくなって安定した状態とな
る。
【００４８】
そこで、投写位置補正データを生成するための第１工程としては、プロジェクターＰＪ
１のコールドスタート時からの経過時間と温度とを記録するとともに、プロジェクターＰ
Ｊ１によってスクリーンＳＣＲ上に投写された投写画像を撮像装置１０によって撮像する
。撮像装置１０による投写画像の撮像は断続的に行う。このとき、撮像装置１０により撮
像を行ったときの撮像時間（コールドスタート時の時刻ｔ０を起点とした経過時間）も記
録する。
【００４９】
なお、撮像装置１０による断続的な撮像は、一定間隔で撮像するようにしてもよく、撮
像する間隔を変化させるようにしてもよい。撮像する間隔を変化させる場合は、例えば、
コールドスタート時の直後から所定の経過時間まで（例えば、熱平衡するまで）は、きめ
細かい時間間隔で撮像を行い、その後は、比較的、粗い時間間隔で行うといった方法を例
示することができる。
【００５０】
そして、温度を記録した時間（時刻ｔ０からの経過時間）における温度と、その時点で
撮像して得られた撮像画像データとに基づいて投写位置のずれ量を求める。この場合の投
写位置のずれ量は、基準となる画素位置（基準画素位置という）に対して注目画素がどの
程度ずれているか示す値として表わされるものとする。具体的には、プロジェクターＰＪ
１のコールドスタート時における注目画素のＸＹ座標上における画素位置を基準画素位置
とした場合、当該基準画素位置に対する注目画素の画素ずれ量をＸ軸方向及びＹ軸方向の
画素数として表わす。
【００５１】
なお、光変調素子ユニット４００には、ＲＧＢそれぞれに対応した光変調素子４１０Ｒ
，４１０Ｇ，４１０Ｂが存在するが、前述したように、これら各光変調素子４１０Ｒ，４
１０Ｇ，４１０Ｂの相互の位置関係は適切に設定されており、その位置関係は固定的なも
のであるとしている。したがって、注目画素の画素ずれ量は、これら各光変調素子４１０
Ｒ，４１０Ｇ，４１０Ｂ全体の画素ずれ量を表すものとなる。
【００５２】
図６は、基準画素位置に対する注目画素の画素ずれ量をプロジェクターＰＪ１の内部の
温度変化に対応させて示す図である。図６に示すように、コールドスタート時の温度を１
５度とし、そのときの注目画素の画素位置を基準画素位置として、当該基準画素位置をＸ
Ｙ座標上において（０，０）とする。なお、プロジェクターＰＪ１の内部の温度とは、温
度センサー１１０で検出された温度である。
【００５３】
また、図６における「Ｘ」及び「Ｙ」の各数値は、基準画素位置（０，０）に対する注
目画素の画素ずれ量を表している。また、この画素すれ量は、少数点以下１桁までの数値
として表しており、例えば、「１．５」というのは、１．５画素であり、これは、基準画
素位置に対して注目画素が１．５画素分だけずれていることを示している。
【００５４】
図７は、基準画素位置に対する注目画素の画素ずれ量をＸＹ座標上において説明する図
である。ここでは、ＸＹ座標上における基準画素位置（０，０）に位置する画素を注目画
素とする。なお、図６においては、Ｘ軸において、Ｘ＝０の位置から右方向をプラスとし
、左方向をマイナスとする。また、Ｙ軸において、Ｙ＝０の位置から下方向をプラスとし
、上方向をマイナスとする。
【００５５】
ところで、前述した図６においては、温度が１５度（コールドスタート時）のときの基
準画素位置（０，０）に対する注目画素の画素ずれ量が示されている。図６によれば、温
度が１６度となると、注目画素のＸ軸方向における画素ずれ量は、「−０．５画素」とな
り、注目画素のＹ軸方向における画素ずれ量は、「０．３画素」となっている。これは、
基準画素位置（０，０）に対して、注目画素がＸ軸方向においては左方向に「−０．５画
素」、Ｙ軸方向においては下方向に「０．３画素」だけそれぞれ画素ずれすることを示し
ている。また、温度が１７度となると、注目画素のＸ軸方向における画素ずれ量は、「−
０．８画素」となり、注目画素のＹ軸方向における画素ずれ量は、「０．５画素」となっ
ている。これは、注目画素が基準画素位置（０，０）に対して、Ｘ軸方向においては左方
向に「−０．８画素」、Ｙ軸方向においては下方向に「０．５画素」だけそれぞれ画素ず
れすることを示している。
【００５６】
そして、温度がさらに上昇して５０度となると、注目画素のＸ軸方向における画素ずれ
量は、「−２．４画素」となり、注目画素のＹ軸方向における画素ずれ量は、「１．５画
素」となる（図７参照）。このように、プロジェクターＰＪ１は、内部の温度の上昇に伴
い、図７における斜め左下（図示、矢印ａ方向）に画素ずれが生じる傾向があることがわ
かる。
【００５７】
そして、プロジェクターＰＪ１は、温度が５０度に達すると、それ以降は温度上昇によ
る画素ずれは殆ど生じていない（図６参照）。すなわち、プロジェクターＰＪ１の内部が
熱平衡の状態となる温度は、この場合、５０度であるといえる。
【００５８】
次に、図６に示すような温度と画素ずれ量との関係を示すデータを用いて投写位置補正
データを生成するための第２工程を行う。
【００５９】
投写位置補正データを生成するための第２工程としては、まず、理想的投写位置を決定
する。この理想的投写位置は、プロジェクターＰＪ１の内部が熱平衡したときの投写位置
であってもよく、また、プロジェクターＰＪ１のコールドスタート時の投写位置であって
もよいが、実施形態１においては、熱平衡したときの投写位置とする。また、理想的投写
位置のときの注目画素の画素位置を理想的画素位置とする。熱平衡したとき、又はコール
ドスタート時の投写位置は、熱により生じるずれの始点又は終点になることが多いため、
理想位置からの距離測定などが容易であり、実装が容易となる。
【００６０】
この場合、プロジェクターＰＪ１が熱平衡したときの投写位置を理想的投写位置、すな
わち理想的画素位置としているので、当該プロジェクターＰＪ１においては、基準画素位
置から注目画素がＸ＝−２．４，Ｙ＝１．５だけずれた位置が理想的画素位置となる。こ
れは、当該プロジェクターＰＪ１は、熱平衡したときの注目画素の画素位置が、Ｘ＝−２
．４，Ｙ＝１．５の位置となればよいことを示している。
【００６１】
ここで、理想的画素位置の座標を（Ｘｉ，Ｙｉ）とし、図６に示す各温度における注目
画素の画素位置を（Ｘｊ，Ｙｊ）とすると、当該温度におけるＸ軸方向の画素ずれ量Ｘｄ
及びＹ軸方向の画素ずれ量Ｙｄは、
Ｘｄ＝Ｘｉ−Ｘｊ・・・・・・・（１）
Ｙｄ＝Ｙｉ−Ｙｊ・・・・・・・（２）
によって求めることができる。例えば、１５度の温度におけるＸ軸方向の画素ずれ量Ｘｄ
は、（１）式より、Ｘｄ＝（−２．４）−０＝−２．４画素と求められる。同様に、１５
度の温度におけるＹ軸方向の画素ずれ量Ｙｄは、（２）式より、Ｙｄ＝（１．５）−０＝
１．５画素と求められる。
【００６２】
これは、温度が１５度のときにおいては、理想的画素位置に対して、Ｘ軸方向において
−２．４画素分の画素ずれ量が存在し、Ｙ軸方向において１．５画素分の画素ずれ量が存
在していることを示している。換言すれば、温度が１５のときは、Ｘ軸方向において−２
．４画素分だけ画素をずらすような補正を行い、Ｙ軸方向において１．５画素分だけ画素
をずらすような補正を行うことによって、理想的画素位置とすることができることを示し
ている。
【００６３】
同様に、１６度の温度におけるＸ軸方向の画素ずれ量Ｘｄは、（１）式より、Ｘｄ＝（
−２．４）−（−０．５）＝−１．９画素と求められる。また、１６度の温度におけるＹ
軸方向の画素ずれ量Ｙｄは、（２）式より、Ｙｄ＝（１．５）−（０．３）＝１．２画素
と求められる。
【００６４】
これは、温度が１６度のときにおいては、理想的画素位置に対して、Ｘ軸方向において
−１．９画素分の画素ずれ量が存在し、Ｙ軸方向において１．２画素分の画素ずれ量が存
在していることを示している。換言すれば、温度が１６のときは、Ｘ軸方向において−１
．９画素分だけ画素をずらすような補正を行い、Ｙ軸方向において１．２画素分だけ画素
をずらすような補正を行うことによって、理想的画素位置とすることができることを示し
ている。
【００６５】
他の温度においても同様にＸ軸方向及びＹ軸方向における注目画素の画素ずれ量を求め
ることができる。なお、（１）式及び（２）式によって求められる理想的画素位置に対す
る注目画素の画素ずれ量は、投写画像を理想的投写位置に投写するために投写位置を補正
する投写位置補正データであり、この投写位置補正データをここでは「画素ずれ補正量」
と呼ぶことにする。
【００６６】
このようにして投写位置補正データが生成されることによって、図８に示すような投写
位置補正テーブル１２０を作成することができる。
【００６７】
図８は、投写位置補正テーブル１２０の一例を示す図である。図８に示す投写位置補正
テーブル１２０に書き込まれている各温度に対する画素ずれ補正量は、（１）式及び（２
）式によって求められたものである。
【００６８】
このようにして作成された投写位置補正テーブル１２０は、プロジェクターＰＪ１の投
写位置補正装置１００に組み込まれる（図１参照）。これにより、投写位置補正装置１０
０の投写位置補正処理部１３０は、投写位置補正テーブル１２０を参照して、その時点の
温度に対応した画素ずれ補正量を取得して、取得した画素ずれ補正量の分だけ画像処理に
よる投写位置の補正を行う。
【００６９】
図９は、実施形態１に係る投写位置補正処理の手順を説明するフローチャートである。
まず、温度センサー１１０からの温度（温度データ）を取得し（ステップＳ１１）、取得
した温度に対応した画素ずれ補正量を投写位置補正テーブル１２０から取得する（ステッ
プＳ１２）。そして、取得した画素ずれ補正量の分だけ投写位置補正処理を行い（ステッ
プＳ１３）、投写位置の補正がなされた画像を投写する（ステップＳ１４）。
【００７０】
なお、投写位置補正処理は、投写位置補正処理部１３０が画像データに対し、ステップ
Ｓ１２において取得した画素ずれ補正量だけ画像処理により画素をシフトさせる処理を行
う。例えば、現時点において温度センサー１１０から出力される温度が１５度であるとす
れば、投写位置補正テーブル１２０（図８参照）から取得された画素ずれ量は、Ｘｄ＝−
２．４、Ｙｄ＝１．５画素である。したがって、この場合、Ｘ軸方向において−２．４画
素だけ画素をシフトし、Ｙ軸方向において１．５画素だけ画素をシフトする。
【００７１】
そして、投写位置補正処理部１３０からは画素位置の補正がなされた画像データが補正
済み画像データとして出力される。この補正済み画像データは、光変調素子ユニット４０
０の各光変調素子４１０Ｒ．４１０Ｇ，４１０Ｂに与えられ、スクリーンＳＣＲには、補
正済み画像データが投写される。これにより、スクリーンＳＣＲに投写される投写画像の
投写位置は理想的投写位置すなわち当該プロジェクターＰＪ１が熱平衡したときの投写位
置となる。
【００７２】
また、コールドスタート時からプロジェクターＰＪ１の温度が上昇して、例えば，温度
センサー１１０から出力される温度が１８度となったとすると、投写位置補正テーブル１
２０（図８参照）から取得される画素ずれ量は、Ｘｄ＝−１．３画素、Ｙｄ＝０．７画素
である。したがって、この場合、Ｘ軸方向において−１．３画素だけ画素をシフトし、Ｙ
軸方向において０．７画素だけ画素をシフトする。
【００７３】
そして、投写位置補正処理部１３０からは画素位置が補正された画像データが補正済み
画像データとして出力される。この補正済み画像データは、光変調素子ユニット４００の
各光変調素子４１０Ｒ，４１０Ｇ，４１０Ｂに与えられ、スクリーンＳＣＲには、補正済
み画像データが投写される。これにより、スクリーンＳＣＲに投写される投写画像の投写
位置は理想的投写位置すなわち当該プロジェクターＰＪ１が熱平衡したときの投写位置と
なる。
【００７４】
このように、プロジェクターＰＪ１のコールドスタート時から刻々と変わる温度に対応
した画素ずれ補正量を投写位置補正テーブル１２０から取得して、取得した画素ずれ補正
量に応じた投写位置補正処理を行うことにより、スクリーンＳＣＲ上に投写される投写画
像は、どの温度においても理想的投写位置、すなわち当該プロジェクターＰＪ１が熱平衡
したときの投写位置に投写されるようになる。
【００７５】
なお、上記した投写位置補正処理は、画像データの１フレームごとに行うようにしても
よいが、１フレームごとに行う必要は特にはなく、例えば、１秒程度の間隔で行えば十分
である。また、その時点の温度に対応する画素ずれ量が投写位置補正テーブル１２０に存
在しない場合には、その前後の温度に対応する画素ずれ量を投写位置補正テーブルから取
得して、取得した画素ずれ量から線形補間などによって求めることができる。
【００７６】
例えば、２０度での画素ずれ量がＸｄ＝２．０、Ｙｄ＝３．０となり、２１度での画素
ずれ量がＸｄ＝２．２、Ｙｄ＝３．４となる投写位置補正データが存在するとき、これら
の画素ずれ量を用いて温度が２０．５度のときの画素ずれ量を線形に補間すると、以下の
ようになる。
Ｘｄ＝（２．２−２．０）／（２１−２０）×０．５＋２．０＝２．１
Ｙｄ＝（３．４−３．０）／（２１−２０）×０．５＋３．０＝３．２
なお、その時点の温度に対応する画素ずれ量が投写位置補正テーブル１２０に存在しな
い場合におけるデータの生成方法は線形補間以外の方法でもよい。
【００７７】
実施形態１に係るプロジェクターＰＪ１によれば、当該プロジェクターＰＪ１によって
スクリーンＳＣＲに投写される投写画像は、コールドスタート時から熱平衡するまでの間
においても、当該プロジェクターＰＪ１が熱平衡したときの投写位置に投写されるように
なる。また、熱平衡したあとにおいても、プロジェクターＰＪ１内の温度に増減があった
としても、同様の投写位置補正処理を行うことにより、熱平衡したときの投写位置に投写
されるようになる。
【００７８】
以上はある１台のプロジェクターＰＪ１の場合について説明したが、プロジェクターが
複数の場合には、個々のプロジェクターごとに固有の投写位置補正テーブル１２０を作成
して、個々のプロジェクターごとに固有の投写位置補正テーブルを有することが好ましい
。これは個々のプロジェクターの内部の温度上昇の仕方や、温度上昇による投写位置のず
れ方などはプロジェクターごとに異なる場合が多いからである。
【００７９】
このように、個々のプロジェクターごとに固有の投写位置補正テーブルを有することに
より、複数のプロジェクターによってスタッキング投写又はタイリング投写を行うマルチ
プロジェクションシステムを構成する場合、スクリーンＳＣＲに投写される複数の投写画
像の投写位置が個々のプロジェクターの内部の温度変化によってずれてしまうということ
を防止することができる。
【００８０】
図１０は、複数のプロジェクターを用いたマルチプロジェクションシステムの構成を示
す図である。図１０（ａ）は２台のプロジェクターＰＪ１，ＰＪ２によりスタッキング投
写を行う場合を示すものであり、図１０（ｂ）は２台のプロジェクターＰＪ１，ＰＪ２に
よりタイリング投写を行う場合を示すものである。
【００８１】
このようなマルチプロジェクションシステムを構成する場合、マルチプロジェクション
システムに用いられるプロジェクターＰＪ１，ＰＪ２が、それぞれ図１に示す構成を有し
、図９に示す投写位置補正処理を行うことにより、プロジェクターＰＪ１，ＰＪ２は、個
々のプロジェクターＰＪ１，ＰＪ２の内部の温度に関わらず、それぞれが熱平衡したとき
の投写位置（理想的投射位置）に投写画像を投写することができる。
【００８２】
例えば、図１０（ａ）に示すようなスタッキング投写においては、プロジェクターＰＪ
１の光変調素子ユニット（第１光変調素子ユニットとする）の各光変調素子及びプロジェ
クターＰＪ２の光変調素子ユニット（第２光変調素子ユニットとする）の各光変調素子の
それぞれ対応する画素を高精度に一致させることにより、高輝度な画像をスクリーンＳＣ
Ｒ上で表示させることができることは勿論、一方のプロジェクターＰＪ１の第１光変調素
子ユニットの各光変調素子と他方のプロジェクターＰＪ２の第２光変調素子ユニットの各
光変調素子のそれぞれ対応する画素を斜め方向に１／２画素だけ画素をずらす「斜め画素
ずらし」による投写を行うことにより、高解像度の画像をスクリーンＳＣＲ上で表示させ
ることができる。なお、第１光変調素子ユニット及び第２光変調素子ユニットは、図２に
示した光変調素子ユニット４００と同様の構成を有するものとする。
【００８３】
いずれの場合も、第１光変調素子ユニットの各光変調素子及び第２光変調素子ユニット
の各光変調素子のそれぞれ対応する画素の位置関係が適切に調整された状態となるように
、プロジェクターＰＪ１及びプロジェクターＰＪ２を高精度に位置調整する必要がある。
【００８４】
しかしながら、プロジェクターＰＪ１及びプロジェクターＰＪ２を高精度に位置調整し
たとしても、プロジェクターＰＪ１，ＰＪ２の内部の温度変化による熱膨張などにより、
第１光変調素子ユニット及び第２光変調素子ユニットの位置がずれてしまい、それによっ
て、第１光変調素子ユニットの各光変調素子及び第２光変調素子ユニットの各光変調素子
のそれぞれ対応する画素の位置関係がずれてしまうおそれがある。
【００８５】
そこで、図１に示すような構成を有するプロジェクターＰＪ１，ＰＪ２を用いて、例え
ば、斜め画素ずらしによる投写を行う場合には、プロジェクターＰＪ１，ＰＪ２がそれぞ
れ熱平衡したときに、第１光変調素子ユニットの各光変調素子と第２光変調素子ユニット
の各光変調素子のそれぞれ対応する画素が斜め方向に１／２画素ずれた状態となるように
プロジェクターＰＪ１，ＰＪ２を設置しておく。
【００８６】
これにより、プロジェクターＰＪ１，ＰＪ２からの投写画像は、プロジェクターＰＪ１
，ＰＪ２の内部の温度に関わらず、各プロジェクターＰＪ１，ＰＪ２が熱平衡した位置（
理想的投写位置）に投写されるため、高精度な斜め画素ずらしの状態を維持することがで
きる。
【００８７】
一方、図１０（ｂ）に示すタイリング投写の場合も同様に、図２に示すような構成を有
するプロジェクターＰＪ１，ＰＪ２を用いて、これらプロジェクターＰＪ１，ＰＪ２がそ
れぞれ熱平衡したときに、投写画像が最適な位置となるようにプロジェクターＰＪ１，Ｐ
Ｊ２を設定しておく。これにより、プロジェクターＰＪ１，ＰＪ２からの投写画像は、プ
ロジェクターＰＪ１，ＰＪ２の内部の温度に関わらず、各プロジェクターＰＪ１，ＰＪ２
が熱平衡した位置（理想的投写位置）に投写されるため、高精度に位置調整された投写位
置を維持することができる。
【００８８】
［実施形態２］
実施形態２に係るプロジェクターＰＪ３は、２つの光変調素子ユニット（第１光変調素
子ユニット４００Ａ及び第２光変調素子ユニット４００Ｂという）を有するプロジェクタ
ーである。
【００８９】
図１１は、実施形態２に係るプロジェクターＰＪ３の構成を示す図である。実施形態２
に係るプロジェクターＰＪ３は、実施形態１に係るプロジェクターＰＪ１と同様、投写位
置補正装置１００と、光学装置２００とを有している。なお、実施形態２に係るプロジェ
クターＰＪ３の光学装置２００は、第１光変調素子ユニット４００Ａと第２光変調素子ユ
ニット４００Ｂとを有している。
【００９０】
光学装置２００は、第１光変調素子ユニット４００Ａから射出される第１画像光（以下
、「第１の画像」ともいう）及び第２光変調素子ユニット４００Ｂから射出される第２画
像光（以下、「第２の画像」ともいう）のそれぞれ対応する画素を高精度に一致させるこ
とにより、高輝度な画像をスクリーンＳＣＲ上で表示させることができる。また光学装置
２００は、第１の画像及び第２の画像のそれぞれ対応する画素を１画素未満の所定量（例
えば、水平方向に１／２画素、及び垂直方向に１／２画素）ずらす「斜め画素ずらし」に
よる投写を行うことにより、高解像度の画像をスクリーンＳＣＲ上で表示させることがで
きる。光学装置２００の構成については後述する。
【００９１】
投写位置補正装置１００は、温度センサー１１０と、第１光変調素子ユニット４００Ａ
及び第２光変調素子ユニット４００Ｂのそれぞれに対応した投写位置補正テーブル（第１
投写位置補正テーブル１２０Ａ及び第２投写位置補正テーブル１２０Ｂという）と、温度
センサー１１０により現時点において検出された温度に対応する投写位置補正データを第
１投写位置補正テーブル１２０Ａ及び第２投写位置補正テーブル１２０Ｂから取得し、取
得したそれぞれの投写位置補正データに基づいて投写位置のずれを補正する投写位置補正
処理部１３０とを有している。
【００９２】
なお、第１投写位置補正テーブル１２０Ａから取得される投写位置補正データを第１投
写位置補正データとし、第２投写位置補正テーブル１２０Ｂから取得される投写位置補正
データを第２投写位置補正データとする。そして、第１投写位置補正データを第１画素ず
れ補正量、第１投写位置補正データを第２画素ずれ補正量という。
【００９３】
また、第１光変調素子ユニット４００Ａに対応した第１投写位置補正テーブル１２０Ａ
は、実施形態１に係るプロジェクターＰＪ１の投写位置補正テーブル１２０（図８参照）
と同じものであるとする。したがって、第２画素ずれ補正量は図８に示す画素ずれ補正量
と同じである。また、第２光変調素子ユニット４００Ｂに対応した第２投写位置補正テー
ブル１２０Ｂは、実施形態１で説明した手順で作成することができる。なお、第２投写位
置補正テーブル１２０Ｂから取得される第２画素ずれ補正量の内容については図示を省略
する。
【００９４】
また、温度センサー１１０は第１光変調素子ユニット４００Ａ及び第２光変調素子ユニ
ット４００Ｂそれぞれに対応して設けるようにしてもよいが、ここでは、温度センサー１
１０は１つであるとする。
【００９５】
図１２は、実施形態２に係るプロジェクターＰＪ３の光学装置２００の構成を示す平面
図である。実施形態２に係るプロジェクターＰＪ３の光学装置２００は、図１２に示すよ
うに、ＲＧＢを含む光を射出する光源３００と、インテグレータ光学系３１０と、第１光
変調素子ユニット４００Ａ及び第２光変調素子ユニット４００Ｂと、偏光分離光学系とし
ての偏光分離ミラー３２０と、偏光分離ミラー３２０によって分離された第１偏光成分（
ｐ偏光とする）をＲＧＢの各色光に分離して第１光変調素子ユニット４００Ａに導く第１
色分離導光光学系５００Ａと、偏光分離ミラー３２０によって分離された第２偏光成分（
ｓ偏光とする）をＲＧＢの各色光に分離して第２光変調素子ユニット４００Ｂに導く第２
色分離導光光学系５００Ｂと、合成光学系としての偏光合成プリズム８００と、偏光合成
プリズム８００で合成された画像光をスクリーンＳＣＲに拡大して投写する投写光学系６
００とを備える。
【００９６】
第１光変調素子ユニット４００Ａは、実施形態１に係るプロジェクターＰＪ１における
光変調素子ユニット４００に対応するものであり、実施形態１に係るプロジェクターＰＪ
１における光変調素子ユニット４００と同様に、ＲＧＢの各色に対応した光変調素子４１
０Ｒ，４１０Ｇ，４１０Ｂと、クロスダイクロイックプリズム４２０とを有し、これら光
変調素子４１０Ｒ，４１０Ｇ，４１０Ｂと、クロスダイクロイックプリズム４２０とは一
体化された構造となっている。なお、光変調素子４１０Ｒ，４１０Ｇ，４１０Ｂの入射側
には入射側偏光板が設けられており、射出側には射出側偏光板が設けられているがこれら
の符号は省略されている。
このように構成された第１光変調素子ユニット４００Ａからは、第１偏光成分（ｐ偏光
）を有する第１画像光が射出される。
【００９７】
第１色分離導光光学系５００Ａは、偏光分離ミラー３２０を通過したｐ偏光のＲＧＢの
各色光のうち、赤色光を反射させ、緑色光及び青色光を通過させるダイクロイックミラー
５１０と、ダイクロイックミラー５１０を通過した緑色光及び青色光のうち、緑色光を反
射させ、青色光を通過させるダイクロイックミラー５２０と、ダイクロイックミラー５２
０を通過した青色光を光変調素子４１０Ｂに導く２つのリレーレンズ５３０，５４０及び
２つの反射ミラー５５０，５６０と、ダイクロイックミラー５１０で反射された赤色光を
光変調素子４１０Ｒに導く反射ミラー５７０とを有している。なお、反射ミラー５７０は
、この場合、第２色分離導光光学系５００Ｂとの間で共用となっているため、両面反射ミ
ラーが用いられる。
【００９８】
一方、第２光変調素子ユニット４００Ｂは、ＲＧＢの各色に対応した光変調素子４１１
Ｒ，４１１Ｇ，４１１Ｂと、クロスダイクロイックプリズム４２１とを有し、これら光変
調素子４１１Ｒ，４１１Ｇ，４１１Ｂと、クロスダイクロイックプリズム４２１とは一体
化された構造となっている。なお、光変調素子４１１Ｒ，４１１Ｇ，４１１Ｂの入射側に
は入射側偏光板が設けられており、射出側には射出側偏光板が設けられているがこれらの
符号は省略されている。
このように構成された第２光変調素子ユニット４００Ｂからは、第２偏光成分（ｓ偏光
）を有する第２画像光が射出される。
【００９９】
第２色分離導光光学系５００Ｂは、偏光分離ミラー３２０を通過したｓ偏光のＲＧＢの
各色光のうち、赤色光を反射させ、緑色光及び青色光を通過させるダイクロイックミラー
５１１と、ダイクロイックミラー５１１を通過した緑色光及び青色光のうち、緑色光を反
射させ、青色光を通過させるダイクロイックミラー５２１と、ダイクロイックミラー５２
１を通過した青色光を光変調素子４１１Ｂに導く２つのリレーレンズ５３１，５４１及び
２つの反射ミラー５５１，５６１とを有している。なお、ダイクロイックミラー５１１で
反射された赤色光は、第１光変調素子ユニット４００Ｂと共用の両面反射ミラー５７０で
反射されて光変調素子４１１Ｒに入射する。
【０１００】
偏光合成プリズム８００は、第１光変調素子ユニット４００Ａから射出されるｐ偏光の
第１画像光と、第２光変調素子ユニット４００Ｂから射出されるｓ偏光の第２画像光とを
合成して投写光学系６００に射出する。そして、偏光合成プリズム８００から射出された
合成画像は、投写光学系６００によって拡大されて、スクリーンＳＣＲ上に投写される。
【０１０１】
ところで、第１光変調素子ユニット４００Ａ及び第２光変調素子ユニット４００Ｂの２
つの光変調素子ユニットを有するプロジェクターＰＪ３は、前述したスタッキング投写と
同様、第１光変調素子ユニット４００Ａの各光変調素子及び第２光変調素子ユニット４０
０Ｂの各光変調素子のそれぞれ対応する画素を高精度に一致させることにより、高輝度な
画像をスクリーンＳＣＲ上で表示させることができることは勿論、それぞれ対応する画素
を斜め方向に１／２画素ずらす「斜め画素ずらし」による投写を行うことにより、高解像
度の画像をスクリーンＳＣＲ上で表示させることができる。
【０１０２】
このような斜め画素ずらしによる投写を可能とするには、第１光変調素子ユニット４０
０Ａの各光変調素子と第２光変調素子ユニット４００Ｂの各光変調素子のそれぞれ対応す
る画素を斜め方向に１／２画素ずれた状態となるように、第１光変調素子ユニット４００
Ａの各光変調素子及び第２光変調素子ユニット４００Ｂの各光変調素子の位置関係は高精
度に調整された状態を維持する必要がある。
【０１０３】
なお、第１光変調素子ユニット４００Ａの各光変調素子４１０Ａ，４１０Ｇ，４１０Ｂ
及びクロスダイクロイックプリズム４２０などは一体化された構造となっており、これら
の位置関係は固定的であり、同様に、第２光変調素子ユニット４００Ｂの各光変調素子４
１１Ａ，４１１Ｇ，４１１Ｂ及びクロスダイクロイックプリズム４２１などは一体化され
た構造となっており、これらの位置関係は固定的であるとする。
【０１０４】
そこで、上記したような斜め画素ずらしを行う場合には、当該プロジェクターＰＪ３の
出荷前の位置調整工程として、当該プロジェクターＰＪ３が例えば熱平衡したときに、第
１光変調素子ユニット４００Ａの各光変調素子と第２光変調素子ユニット４００Ｂの各光
変調素子のそれぞれ対応する画素が斜め方向に１／２画素ずれた状態となるように高精度
に位置調整した状態としておく。
【０１０５】
一方、プロジェクターＰＪ３には、第１光変調素子ユニット４００Ａ及び第２光変調素
子ユニット４００Ｂのそれぞれに対応する投写位置補正テーブル（第１投写位置補正テー
ブル１２０Ａ及び第２投写位置補正テーブル１２０Ｂ）が組み込まれている（図１１参照
）。そして、第１投写位置補正テーブル１２０Ａからは温度検出センサー１１０で検出さ
れた温度に応じた第１画素ずれ補正量が取得され、第２投写位置補正テーブル１２０Ｂか
らは温度検出センサー１１０で検出された温度に応じた第２画素ずれ補正量が取得される
。
【０１０６】
このようなプロジェクターＰＪ３を用いて、例えば、斜め画素ずらしによる投写を行っ
た場合、プロジェクターＰＪ３の内部の温度に関わらず、第１光変調素子ユニット４００
Ａから射出される第１画像光及び第２光変調素子ユニット４００Ｂから射出される第２画
像光は、プロジェクターＰＪ３の内部が熱平衡したときの投写位置（理想的投写位置）に
それぞれ投写され、これにより、プロジェクターＰＪ３内の温度変化に関わらず高精度な
斜め画素ずらしの状態を維持することができる。
【０１０７】
また、斜め画素ずらしによる投写だけではなく、第１光変調素子ユニット４００Ａの各
光変調素子及び第２光変調素子ユニット４００Ｂの各光変調素子のそれぞれ対応する画素
を高精度に一致させた状態で投写する場合にも同様に、プロジェクターＰＪ３内の温度変
化に関わらず、投写画像を高精度に一致させた状態を維持することができる。
【０１０８】
なお、本発明は上述の実施形態に限られるものではなく、本発明の要旨を逸脱しない範
囲で種々変形実施可能となるものである。たとえば、下記（１）〜（７）に示すような変
形実施も可能である。
【０１０９】
（１）上記各実施形態では、投写位置の補正は画像処理によって行う場合を例示したが
、画像処理による補正に限られるものではなく、光変調素子ユニット４００（第１光変調
素子ユニット４００Ａ、第２光変調素子ユニット４００Ｂ）を水平及び垂直方向に移動さ
せる移動機構を設けて、当該移動機構によって行うようにしてもよく、また、光軸をずら
すなど光学的な補正によって行うようにしてもよい。
【０１１０】
（２）また、画素位置の補正は画像処理と、移動機構による補正又は光学的な補正とを
組み合わせるようにしてもよい。例えば、補正すべき画素ずれ量のうちの整数の値として
表わされる画素数（例えば「２．４画素」であれば「２画素」）については画像処理によ
って画素を１画素単位でシフトする方法で補正し、小数点以下の値で表わされる画素数（
例えば「２．４画素」であれば「０．４画素」）については、移動機構による補正又は光
学的な補正を用いるといった補正の仕方も可能である。
【０１１１】
（３）上記各実施形態では、画素ずれを判定するための注目画素としては、４隅の画素
のうちの左斜め上の隅に位置する１つの画素としたが、注目画素はこれに限られるもので
はない。また、注目画素は必ずしも１つとすることはなく、例えば、４隅の画素の平均位
置としてもよく、また、４隅でなくても離散的に存在する複数の画素の位置の平均位置と
してもよい。
【０１１２】
（４）上記各実施形態では、温度センサーは１つの場合を例示したが、温度センサー１
１０は、プロジェクターの内部に複数個所を設けるようにしてもよい、その場合、複数個
所の温度センサーから得られる温度の例えば平均値などを当該プロジェクターの温度とし
て採用するといった方法を例示することができる。
【０１１３】
（５）上記各実施形態においては、温度センサー１１０は、電気回路が取り付けられる
基板の裏面で、かつ、クロスダイクロイックプリズム（図２においてはクロスダイクロイ
ックプリズム４２０）の上方に取り付ける場合を例示したが、これに限られるものではな
い。
【０１１４】
（６）上記各実施形態においては、プロジェクターの光変調素子としては液晶を用いた
光変調素子を例にとって説明したが、デジタルマイクロミラーによる光変調素子を用いた
プロジェクターであってもよい。
【０１１５】
（７）実施形態２においては、個々の光変調素子ユニット（第１光変調素子ユニット及
び第２光変調素子ユニット）ごとに投写位置補正テーブルを作成して、作成されたそれぞ
れの投写位置補正テーブルを組み込む場合を例示したが、第１光変調素子ユニット及び第
２光変調素子ユニットの温度変化による位置ずれの仕方が同じか又は第１光変調素子ユニ
ット及び第２光変調素子ユニットの温度変化による位置ずれの仕方が多少異なっていても
許容できる範囲であることが明らかである場合には、１つの投写位置補正テーブルを共用
してもよい。
【０１１６】
（８）実施形態２においては、プロジェクターＰＪ３が２つの光変調素子ユニットを備
える場合を例示したが、プロジェクターＰＪ３は３つ以上の光変調素子ユニットを備えて
いてもよい。
【０１１７】
（９）実施形態２においては、第１光変調素子ユニットから射出される第１の画像、及
び第２光変調素子ユニットから射出される第２の画像の投写位置をそれぞれ補正している
が、第１の画像又は第２の画像のうち、一方の画像の投写位置のみを補正してもよい。例
えば、第１の画像については、温度変化に伴う投写位置の変化は補正せず、第２の画像の
み、対応する第１の画像の画素に対して適切な位置に表示されるように補正を行ってもよ
い。この場合、温度変化に伴って第１の画像の投写位置が変化するのに追随するように、
第２の画像の投写位置が変化することとなる。
【０１１８】
また、プロジェクターが３つ以上の光変調素子ユニットを備えている場合は、１つの光
変調素子ユニットが形成する基準とすべき投写画像の投写位置は補正せず、この光変調素
子ユニット以外の光変調素子ユニットから射出される投写画像の投写位置について、基準
とすべき投写画像に対して適切な位置に表示されるように補正を行ってもよい。
【０１１９】
（１０）実施形態２においては、光源３００からの光を偏光分離ミラー３２０で分離し
て第１光変調素子ユニット４００Ａ及び第２光変調素子ユニットに４００Ｂに供給する構
成を例示したが、これに限られない。第１光変調素子ユニット４００Ａに光を供給する第
１の光源と、第２光変調素子ユニット４００Ｂに光を供給する第２の光源が異なる構成で
あってもよい。また、第１の光源及び第２の光源の少なくとも一方が複数の光源を含む構
成であってもよい。
【０１２０】
（１１）上記各実施形態においては、プロジェクターの内部が熱平衡したときの投写位
置、又は、プロジェクターのコールドスタート時の投写位置が理想的投写位置である場合
を例示したが、理想的投写位置はこれ以外の位置であってもよい。例えば、理想的投写位
置は、画素ずれの始点と終点の中間となる位置であってもよい。
ここで、プロジェクターの内部が熱平衡したときを基準とする画素ずれ量は、コールド
スタート時の状態に近づくにつれて大きくなり、コールドスタート時に最大となる。この
際、画素ずれ量が大きくなるにつれて画素ずれを補正するための補正値も大きくなるが、
補正値が大きくなると、画素ずれの補正に伴って画面の端部で削除されてしまう領域が大
きくなり、画像のうち表示されない領域が大きくなってしまう。これは、コールドスター
ト時を理想的投写位置とした場合も同様である。
これに対して、画素ずれの始点と終点の中間となる位置を理想的投写位置とすれば、熱
平衡時又はコールドスタート時を理想的投写位置とした場合と比較すると、必要な補正値
の絶対値が最小となる。そのため、画素ずれの始点と終点の中間となる位置を理想的投写
位置とすることにより、補正に伴って画面の端部で削除されてしまう領域を最小にするこ
とができる。
【０１２１】
（１２）上記各実施形態においては、投写位置補正テーブル１２０は、投写位置補正装
置１００に設けられている場合が例示されているが、必ずしも投写位置補正装置１００に
設ける必要はなく、外部の記憶装置などに記憶させておくことも可能である。
【符号の説明】
【０１２２】
１０・・・撮像装置、２０・・・投写位置補正テーブル作成装置、１００・・・投写位
置補正装置、１１０・・・温度センサー（温度検出部）、１２０・・・投写位置補正テー
ブル、１２０Ａ・・・第１投写位置補正テーブル、１２０Ｂ・・・第２投写位置補正テー
ブル、１３０・・・投写位置補正処理部、２００・・・光学装置、４００・・・光変調素
子ユニット、４００Ａ・・・第１光変調素子ユニット、４００Ｂ・・・第２光変調素子ユ
ニット、ＰＪ１，ＰＪ２，ＰＪ３・・・プロジェクター、ＳＣＲ・・・スクリーン
【図１】
2011151640.tif 000003
【図２】
2011151640.tif 000004
【図３】
2011151640.tif 000005
【図４】
2011151640.tif 000006
【図５】
2011151640.tif 000007
【図６】
2011151640.tif 000008
【図７】
2011151640.tif 000009
【図８】
2011151640.tif 000010
【図９】
2011151640.tif 000011
【図１０】
2011151640.tif 000012
【図１１】
2011151640.tif 000013
【図１２】
2011151640.tif 000014